(57)【特許請求の範囲】
【請求項１】
第１光源と、第２光源と、前記第１光源及び前記第２光源を支持する支持部材と、を備える照明装置であって、
前記支持部材は、
主面と、
前記主面と垂直をなし且つ前記主面に沿って延びた第１面と、
前記第１面の背後において前記第１面と反対方向を向いた第２面であって、前記主面と垂直をなし且つ前記主面に沿って延びた第２面と、を有し、
前記第１光源は、
前記第１面に配置され、前記主面に沿って延びた第１配線基板と、
前記主面に沿うように、前記第１配線基板に配置された複数の第１発光素子と、を有し、
前記第２光源は、
前記第２面に配置され、前記主面に沿って延びた第２配線基板と、
前記主面に沿うように、前記第２配線基板に配置された複数の第２発光素子と、を有し、
前記第１面は、円または多角形の筒の外面であり、
前記第２面は、円または多角形の筒の内面であり、
前記支持部材は、さらに、
前記第１面に対して斜めに対面し、前記複数の第１発光素子よりも前記主面側に位置する第３面と、
前記第２面に対して斜めに対面し、前記複数の第２発光素子よりも前記主面側に位置する第４面と、を有し、
前記第３面の下端は、前記主面から前記第１発光素子までの距離の半分以下の距離の前記主面側に位置し、
前記第４面の下端は、前記主面から前記第２発光素子までの距離の半分以下の距離の前記主面側に位置し、
前記第３面および前記第４面は、前記第１発光素子および前記第２発光素子から前記主面に沿った水平方向に出射された光の水平方向上側の一部のみを前記第１面および前記第２面の下側で交差するようにそれぞれ反射し、
前記支持部材は、さらに、前記第４面の内側に、前記主面より下方に頂点を有する円錐または角錐の部分を有する、ことを特徴とする照明装置。
【請求項２】
請求項１において、
前記第１面を有する部位と前記第２面を有する部位との間には、隙間を有する、照明装置。
【請求項３】
請求項１または２において、
前記第１配線基板と、前記第２配線基板とは、可撓性を有する、照明装置。
【請求項４】
請求項１ないし３のいずれかにおいて、
前記第１配線基板と、前記第２配線基板とは、帯状である、照明装置。
【発明の詳細な説明】
【技術分野】
【０００１】
本発明は、発光素子を用いた照明装置であって、より暗部の少ない照明装置に関するものである。
【背景技術】
【０００２】
特許文献１には、照明器具において、所望の光量を得ると共に、放熱性を良くして器具効率を向上させることが記載されている。特許文献１の照明器具は、環状に配置された複数のＬＥＤを有する発光部と、環状に配置された複数のＬＥＤを有する発光部と、発光部による出射光を導いて放射する環状の導光部材とを備える。発光部は、互いに径が異なり、かつ同心状に配置されている。これにより、所望の光量を得る上で必要な数のＬＥＤを１発光部に配置しきれないとしても、それらのＬＥＤを発光部に分けて配置することにより、所望の光量を得ることができる。また、それらのＬＥＤが１発光部に配置できる程の数であったとしても、それらのＬＥＤを発光部に分けて配置することにより、ＬＥＤ同士及びＬＥＤ同士の間隔を広くすることができる。
【０００３】
特許文献２には、絶縁性を確保しつつランプと同等の立体的で均等な配光を得ることが可能なＬＥＤランプ装置を提供することが記載されている。複数のＬＥＤを長手方向に沿って直列に実装し端部の給電端子に電気的に接続した長手状のＦＰＣを基体の曲面状の取付部に螺旋状に巻き付ける。ＦＰＣの両端部に設けた給電端子間の距離を確保でき、絶縁性を確保できる。基体の形状に対応して電球などの一般的なランプと同等の立体的で均等な配光を容易に得ることができる。
【先行技術文献】
【特許文献】
【０００４】
【特許文献１】特開２０１４−２６８１０号公報
【特許文献２】特開２００９−３７７９５号公報
【発明の概要】
【発明が解決しようとする課題】
【０００５】
発光素子の１つであるＬＥＤをフレキシブルなＦＦＣ（フレキシブルフラットケーブル）、ＦＰＣ（フレキシブルプリント基板）などに実装したＣＯＦ（チップオンフレキシブル、チップオンフィルム）を固定物に貼り付けた照明装置であって、より暗部の少ない照明装置が求められている。
【課題を解決するための手段】
【０００６】
本発明の一態様は、第１光源と、第２光源と、第１光源及び第２光源を支持する支持部材と、を備える照明装置である。この照明装置の支持部材は、主面と、主面と垂直をなし且つ主面に沿って延びた第１面と、第１面の背後において第１面と反対方向を向いた第２面であって、主面と垂直をなし且つ主面に沿って延びた第２面と、を有する。第１光源は、第１面に配置され、主面に沿って延びた第１配線基板と、主面に沿うように、第１配線基板に配置された複数の第１発光素子と、を有し、第２光源は、第２面に配置され、主面に沿って延びた第２配線基板と、主面に沿うように、第２配線基板に配置された複数の第２発光素子と、を有する。支持部材は、さらに、第１面に対して斜めに対面し、複数の第１発光素子よりも主面側に位置する第３面と、第２面に対して斜めに対面し、複数の第２発光素子よりも主面側に位置する第４面と、を有する、ことを特徴とする。
【発明の効果】
【０００７】
この照明装置は、主面に垂直な第１面に第１配線基板を介して配置された複数の第１発光素子と、背面の第２面に第２配線基板を介して配置された複数の第２発光素子とを含み、第１発光素子および第２発光素子から互いに反対側に出射された光は、第１面および第２面に対し斜めに対向する第３面および第４面でそれぞれ反射され、第１面および第２面の下側を照明する。したがって、この照明装置において、暗くなりがちな第１面および第２面の垂直方向（下側）を第３面および第４面を介して照明することができ、暗部の少ない照明装置を提供できる。
【図面の簡単な説明】
【０００８】
【図１】照明装置を示す斜視図。
【図２】照明装置の構成をカバーを透かして示す斜視図。
【図３】照明装置の構成を分解して示す斜視図。
【図４】照明装置の構成を示す断面図。
【図５】照明装置の一部を拡大して示す断面図。
【図６】異なる照明装置の全体構成をカバーを透かして示す斜視図。
【図７】異なる照明装置の構成を分解して示す斜視図。
【図８】異なる照明装置の構成を示す断面図。
【図９】異なる照明装置の一部を拡大して示す断面図。
【図１０】さらに異なる照明装置の構成をカバーを外した状態で示す斜視図。
【発明を実施するための形態】
【０００９】
図１に、照明装置の全体を斜視図により示している。照明装置１は、シーリングライトなどと呼ばれ、室内の天井９などに取り付けられ、複数の発光素子５２および６２から出射された光を、光拡散材などを含んだ光拡散機能を備えたカバー５を通して出力し、室内を照明する照明装置である。
【００１０】
図２に、照明装置１の全体構成を、カバー５を透かした状態で斜視図により示している。図３に、照明装置１を分解した状態を斜視図により示している。図４に、照明装置１の構成を断面図により示している。照明装置１は、光を出射する複数の発光素子（ＬＥＤ）５２を含む第１光源５０と、第１光源５０と反対側を向いて配置された複数の発光素子（ＬＥＤ）６２を含む第２光源６０と、第１光源５０および第２光源６０を支持する支持部材２０と、支持部材２０を天井面９に固定する円盤状の取付板１１と、第１光源５０および第２光源６０に電力を供給する電源ユニット１２とを備えている。
【００１１】
支持部材２０は、天井面９に平行な主面２１と、主面２１と垂直をなし且つ主面２１に沿って延びた第１面３１と、第１面３１の背後において第１面３１と反対方向を向いた第２面３２であって、主面２１と垂直をなし且つ主面２１に沿って延びた第２面３２とを含む。具体的には、支持部材２０は、天井面９に沿って取り付けられた部分であって、主面２１を構成するベースプレート（基板）２２と、ベースプレート２２から下側に突き出た部分（部位）であって主面２１に沿って延びた第１面３１を構成する外側リブ（第１壁）３３と、外側リブ３３の背後（外側リブ３３の第１面３１と反対側）に、ベースプレート２２から下側に突き出た部分（部位）であって、主面２１に沿って延びた第２面３２を構成する内側リブ（第２壁）３４とを含む。さらに具体的には、外側リブ３３および内側リブ３４はベースプレート２２から下側に突き出た円筒状の部材であり、第１面３１は円筒状の外面であり、第２面３２は円筒状の内面である。
【００１２】
支持部材２０の第１面３１には第１光源５０が配置されている。第１光源５０は、第１面３１に配置され、主面２１に沿って延びた第１配線基板５１と、主面２１に沿うように、第１配線基板５１に配置された複数のＬＥＤ（第１発光素子）５２とを含む。第１配線基板５１の一例は、ＦＦＣ（フレキシブルフラットケーブル）やＦＰＣ（フレキシブルプリント基板）など、可撓性を有する帯状（テープ状）の配線基板である。第１発光素子５２の一例はＬＥＤ等の半導体発光素子である。第１光源５０の一例は、ＦＦＣまたはＦＰＣ５１の表面５３にＬＥＤ素子５２が適当な間隔で一列に配置されＣＯＦ（チップオンフレキシブル、チップオンフィルム）またはフレキシブルテープＬＥＤなどと呼ばれる帯状のＬＥＤ光源である。以降においては、第１光源５０としてＣＯＦを例に説明する。ＣＯＦ５０は裏面５４に粘着層（粘着テープ）が設けられていてもよい。第１面３１にはＣＯＦ５０を貼りつけることにより第１面３１の上下方向のほぼ中央にＬＥＤ素子５２が配置されている。
【００１３】
支持部材２０の第２面３２には第２光源６０が配置されている。第２光源６０は、第２面３２に配置され、主面２１に沿って延びた第２配線基板６１と、主面２１に沿うように、第２配線基板６１に配置された複数のＬＥＤ（第２発光素子）６２とを含む。第２光源６０もＣＯＦであってもよく、以降においては、第２光源６０としてＣＯＦを例に説明する。ＣＯＦ６０はＦＰＣ６１の表面６３にＬＥＤ素子６２が適当な間隔で一列に配置され、裏面６４に粘着層（粘着テープ）が設けられている。第２面３２にはＣＯＦ６０を貼りつけることにより第２面３２の上下方向のほぼ中央にＬＥＤ素子６２が配置されている。
【００１４】
ＣＯＦ５０および６０は、適当な面があれば、貼りつけることにより、その面を簡単に発光源とし、立体的な光源として利用できる。しかしながら、ＣＯＦ５０および６０は、テープなので、円錐あるいは角錐のような面であると貼りつけた際に歪みが生じやすい。ＣＯＦ５０および６０を貼りつける面としては、平面や、円筒状の面、角筒（多角形の筒）状の面が好ましい。本例の照明装置１では第１面３１および第２面３２が円筒の外面および内面であり、ＣＯＦ５０および６０を歪みなく貼りつけることができる。
【００１５】
支持部材２０は、さらに、第１面３１に対して斜めに対面し、複数のＬＥＤ素子（第１発光素子）５２よりも主面２１側に位置する第３面４３と、第２面３２に対して斜めに対面し、複数のＬＥＤ素子（第２発光素子）６２よりも主面２１側に位置する第４面４４と、を有する。具体的には、本例のベースプレート２２は、ドーナツ状（リング状）のプレートであり、取り付け板１１に接続するための、天井面９に平行な裏面（外面）２３と、裏面２３に平行な表側の主面２１とを有する。支持部材２０は、ベースプレート２２の主面２１から下側に垂直に突き出た円筒状の外側リブ３３および内側リブ３４と、外側リブ３３の外側に円周状に設けられた段差部分４２であって、下側に傾いた第３面４３を構成する段差部分４２と、内側リブ３４の内側に設けられた円周状の段差部分４５であって、下側を向いた第４面４４を構成する段差部分４５とを有する。
【００１６】
さらに具体的には、ベースプレート２２は、内側リブ３４の内側が、全体が円錐をなすように下側に突き出ており、第４面４４を構成する段差部分４５は、円錐状に傾斜した部分（円錐部）２７の中腹に構成されている。円錐部２７の下面２６は、内側リブ３４に設けられたＣＯＦ６０から内側に出射される光を全体として下側（天井面９と反対側）に反射して照明装置１の中央部分に暗部ができるのを防止する機能を果たす。ベースプレート２２の円錐部２７は中空であり、取り付け板１１との間に空間Ｓを形成している。このベースプレート２２の上側の空間Ｓに電源ユニット１２が設置され、電源ユニット１２の配置スペースが確保されるとともに電源ユニット１２の影がカバー５に映らないようにしている。また、これにより装置全体の厚みを抑えた照明装置１を提供できる。
【００１７】
図５に、照明装置１の断面を、支持部材２０の外側リブ３３および内側リブ３４の近傍を拡大して示している。主面２１に垂直な第１面３１および第２面３２に配置されたＬＥＤ５２および６２からは、主面２１に沿った（平行な）方向を中心とする強度分布の光が出射される。このため、カバー５の第１面３１および第２面３２の下側を直に照明する光の強度は小さく、暗部が生じる可能性がある。しかしながら、照明装置１においては、第１面３１に対して斜めに対面する第３面４３と、第２面３２に斜めに対面する第４面４４とが設けられているので、ＬＥＤ５２および６２から主面２１に沿った水平方向（具体的には水平方向上側）に出射された光の一部がこれらの第３面４３および第４面４４により、第１面３１および第２面３２の下側で交差するように反射される。したがって、第１面３１および第２面３２の下側を照明する光の強度（照度）を向上でき、カバー５に暗部が発生することを抑制できる。第３面４３および第４面４４のいずれか一方を設けることにより第１面３１および第２面の下側の照度を向上できる。しかしながら、第３面４３および第４面４４を設けることにより、第１面３１および第２面３２の下側のより広い領域をより高い照度で照明することができる。
【００１８】
このため、第１面３１および第２面３２の間隔を広く確保することができ、第１面３１を有する部位と第２面３２を有する部位との間に隙間３５を設けることができる。具体的には、第１の面３１および第２の面３２を設ける筒状の部分（部位）である外側リブ３３および内側リブ３４を分離し、それらのリブ３３および３４の間に隙間３５を設けることができる。第１面３１および第２面３２を共通の壁（リブ）の外面および内面としてもよいが、第１面３１および第２面３２を構成する構造体を分離し、それらの間に隙間３５を設け、第１面と第２面との間での熱伝達が難しいように分離することにより第１面３１および第２面３２にそれぞれ貼り付けられたＬＥＤ５２および６２の発熱による温度上昇を緩和できる。さらに、隙間３５を放熱部分として利用することが可能であり、空気を対流させることにより効率よく放熱できる。したがって、ＬＥＤ５２および６２の発光効率が低下することを抑制でき、より均一で、経時変化の少ない光を効率よく照明装置１から出力できるとともに、ＬＥＤ５２および６２の寿命を延長できる。
【００１９】
主面２１から第３面４３の下端４３ｂおよび第４面４４の下端４４ｂまでの距離は、それぞれ主面２１からＬＥＤ５２および６２までの距離Ｌの１／２以下であることが好ましく、１／３以下であることがさらに好ましい。ＬＥＤ５２および６２から照明装置１のカバー５の内部に広がる光量を確保した状態で、外側リブ３３および内側リブ３４の下方を照明する光量を確保できる。
【００２０】
図６に、異なる照明装置１ａの全体構成を斜視図により示している。図６は、カバー５を透かした状態で示している。この照明装置１ａは、丸型環状ＬＥＤライトの一例であり、用途の１つは丸型蛍光灯の交換用である。この照明装置１ａは、電源ユニット１２を内蔵していてもよいが、照明装置１ａを取り付ける照明器具に設けられていてもよい。
【００２１】
図７に、照明装置１ａを分解した状態を斜視図により示している。図８に、照明装置１ａの構成を断面図により示している。照明装置１ａは、光を出射する複数の発光素子（ＬＥＤ）５２を含む第１光源５０と、第１光源５０と反対側を向いて配置された複数の発光素子（ＬＥＤ）６２を含む第２光源６０と、第１光源５０および第２光源６０を支持する支持部材２０と、支持部材２０、第１光源５０および第２光源６０を覆う、リング状（ドーナッツ状）のカバー５とを含む。
【００２２】
支持部材２０は、天井面９に平行な主面２１と、主面２１と垂直をなし且つ主面２１に沿って延びた第１面３１と、第１面３１の背後において第１面３１と反対方向を向いた第２面３２であって、主面２１と垂直をなし且つ主面２１に沿って延びた第２面３２と、第１面３１に対して斜めに対面し、複数のＬＥＤ素子（第１発光素子）５２よりも主面２１側に位置する第３面４３と、第２面３２に対して斜めに対面し、複数のＬＥＤ素子（第２発光素子）６２よりも主面２１側に位置する第４面４４とを含む。具体的には、支持部材２０は、主面２１を構成するドーナツ状（リング状）のベースプレート２２と、第１面３１および第２面３２をそれぞれ構成する外側リブ３３および内側リブ３４とを含む。外側リブ３３および内側リブ３４は同心円状に配置され、それらの間に隙間３５が設けられている。
【００２３】
ベースプレート２２の主面２１は外側リブ３３の外側および内側リブ３４の内側にリング状に広がっており、その外側および内側に反射面となる第３面４３および第４面４４をそれぞれ構成するリング状の段差部分（段差構造）４２および４５が設けられている。
【００２４】
この照明装置１ａの第１光源５０および第２光源６０は先に説明したＣＯＦ５０および６０であり、先の照明装置１と同様に、ＣＯＦ５０および６０を第１面３１および第２面３２にそれぞれ貼りつけることにより、第１面３１および第２面３２のそれぞれの上下方向の中央にＬＥＤ素子５２および６２が主面２１に沿うように配置されている。
【００２５】
図９に、図８に示した照明装置１ａの断面の一部を拡大して示している。この照明装置１ａにおいては、支持部材２０の断面は、外側リブ３３および内側リブ３４の前後の構成が対称となっており、対称な位置に第３面４３および第４面４４が設けられている。したがって、暗部が生じやすい、カバー５の外側リブ３３および内側リブ３４の下側の部分を外側および内側からほぼ均等に照明することができ、カバー５から全周にわたり均等な光を放出できる。
【００２６】
また、主面２１から第３面４３の下端４３ｂおよび第４面４４の下端４４ｂまでの距離Ｌ１を主面２１からＬＥＤ５２および６２までの距離Ｌ０の１／２以下、さらに望ましくは１／３以下にすることにより、リング状の蛍光灯と置換できるようにリング状のカバー５から周囲に放出される光強度も確保できる。
【００２７】
図１０に、さらに異なる照明装置１ｂの構成を斜視図により示している。図１０においては、カバー５を外した状態で照明装置１ｂの構成を示している。照明装置１ｂは、光を出射する複数の発光素子（ＬＥＤ）５２を含む第１光源５０と、第１光源５０と反対側を向いて配置された複数の発光素子（ＬＥＤ）６２を含む第２光源６０と、第１光源５０および第２光源６０を支持する支持部材２０とを含む。支持部材２０は、天井面９に平行な主面２１と、主面２１と垂直をなし且つ主面２１に沿って延びた第１面３１と、第１面３１の背後において第１面３１と反対方向を向いた第２面３２であって、主面２１と垂直をなし且つ主面２１に沿って延びた第２面３２と、第１面３１に対して斜めに対面し、複数のＬＥＤ素子（第１発光素子）５２よりも主面２１側に位置する第３面４３と、第２面３２に対して斜めに対面し、複数のＬＥＤ素子（第２発光素子）６２よりも主面２１側に位置する第４面４４とを含む。
【００２８】
具体的には、支持部材２０は、主面２１を構成する８角形のベースプレート２２と、主面２１と垂直をなし、主面２１に沿って延びた第１面３１を構成する八角形の筒状の外側リブ３３と、外側リブ３３の内側に配置され第２面３２を構成する八角形の筒状の内側リブ３４とを含む。第１面３１および第２面３２は、第１光源５０および第２光源６０となるＣＯＦ５０および６０が取り付けられ、それぞれの面の上下方向の中央に、主面２１に沿って複数のＬＥＤ５２および６２がそれぞれ配置されている。
【００２９】
八角形のベースプレート２２の八角形の外側リブ３３の外側（外周）に、八方向を向いた第１面３１のそれぞれの面に対向し、下側に傾いた段差部分４２が設けられており、その段差部４２の内側の面が第３面４３となっている。同様に、ベースプレート２２の八角形の内側リブ３４の内周側に、八方向を向いた第２面３２のそれぞれに対向し、下向きに傾いた段差部分４５が設けられており、その段差部４５の外側の面が第４面４４となっている。ベースプレート２２は、内側リブ３４の内側が、全体が八角錐をなすように下側に突き出ており、第４面４４を構成する段差部分４５は、角錐状に傾斜した部分（角錐部）２７の中腹に構成されている。したがって、この照明装置１ｂにおいても、八角形の筒型の外側リブ３３および内側リブ３４の下側の領域を第３面４３および第４面４４により反射した光により照明することができ、暗部が形成されることを防止できる。
【００３０】
以上に説明したように、発光素子５２および６２が配置された第１面３１および第２面３２に対し平行した反射面である第３面４３および第４面４４を設け、発光素子５２および６２からの光の一部を第１面３１および第２面３２の下方に斜めに反射することにより発光素子５２および６２の下方に暗部が形成されることを抑制できる。照明装置１、１ａおよび１ｂにおいて説明したように、第１面３１および第２面３２に、主面２１に沿って一列に発光素子５２および６２が配置されていてもよく、多列に配置されていてもよく、全体として列または帯をなすように発光素子５２および６２が第１面３１および第２面３２に分散して配置されていてもよい。また、第１面３１および第２面３２は曲面であってもよく、直線的な面であってもよい。第１面３１および第２面３２は、円筒状であってもよく、三角形、四角形、六角形、八角形などの多角形の筒状であってもよく、反射面となる第３面４３および第４面４４も、円周状に設けられていてもよく、多角形をなすように設けられていてもよい。また、上述した照明装置は、本開示に係る照明装置の一例であり、照明装置は、天井用丸型ライトあるいは角型ライトなどのシーリングライトに限らず、道路工事用丸型照明、丸型看板照明、丸型蛍光灯の代用品（ＬＥＤ管）などであってもよい。
【符号の説明】
【００３１】
１、１ａ、１ｂ  照明装置
２０  支持部材、  ２１  主面
３１  第１面、  ３２  第２面、
３３  第１の壁（外側リブ）、  ３４  第２の壁（内側リブ）
４３  第３面、  ４４  第４面
５０  第１光源、  ５１  第１配線基板、  ５２  第１発光素子
６０  第２光源、  ６１  第２配線基板、  ６２  第２発光素子
【図１】
0006699070.tif 000002
【図２】
0006699070.tif 000003
【図３】
0006699070.tif 000004
【図４】
0006699070.tif 000005
【図５】
0006699070.tif 000006
【図６】
0006699070.tif 000007
【図７】
0006699070.tif 000008
【図８】
0006699070.tif 000009
【図９】
0006699070.tif 000010
【図１０】
0006699070.tif 000011